(57)【要約】【課題】複数のレシピが配信されるとき、冷蔵庫の食材の数量がレシピの食材の数量より多少少なくても、冷蔵庫内の食材でレシピの料理とほぼ同じ料理ができるときは、当該レシピを選択できるコンテンツ選択装置の提供。【解決手段】家電（冷蔵庫）５の受信チップ５１において放送された料理レシピを受信する。家電５内の食材に貼付されているＲＦＩＤから読み取った食材の数量が食材メタデータ記憶手段５７に記憶してある。レコメンドフィルタ５５は、配信されたレシピの食材の数量Ｍと食材メタデータ記憶手段５７に記憶されている家電内の食材の数量Ｎとを比較し、Ｍ−Ｎ≦Ｔ（Ｔは予め設定してある閾値）であればレシピのコンテンツ又はメタデータをレシピボックス５６へ格納する。再生アプリケーション５０は、レシピボックス５６からレシピのコンテンツ又はメタデータを読み出し、家電５の液晶ディスプレイに表示する。【選択図】        図２
2011039846.tif 000002
【特許請求の範囲】
【請求項１】
１又は１以上の要素名を含むコンテンツ並びに該コンテンツ及び該要素名に対応付けられたメタデータでなるコンテンツ系列を受信する受信手段と、
前記要素名の具体物である要素具体物が保存されているとき、該要素具体物に対応する要素名のメタデータを記憶する要素名メタデータ記憶手段と、
前記受信手段で受信したコンテンツ系列における要素名の数をＭ、前記要素名メタデータ記憶手段にメタデータで記憶されている前記要素具体物の数をＮ、予め定めた閾値をＴとする（Ｍ，Ｎ,Ｔは正数）とき、Ｍ−Ｎ≦Ｔであれば前記受信手段で受信したコンテンツ系列における前記コンテンツ又はメタデータの少なくとも一方を通過させるフィルタリング手段と
を有するコンテンツ選択装置。
【請求項２】
前記コンテンツが前記要素名で表される具体物の広告を含み、
Ｍ−Ｎ＞Ｔのとき、前記受信手段で受信したコンテンツ系列におけるメタデータに基づき、該コンテンツ系列における前記広告を検出する広告検出手段を有する請求項１に記載のコンテンツ選択装置。
【請求項３】
前記コンテンツがレシピを含み、前記要素名は該レシピの食材名であり、前記要素具体物は冷蔵庫に保存された食材であり、前記要素名メタデータ記憶手段は該冷蔵庫に設けてある請求項１又は２に記載のコンテンツ選択装置。
【請求項４】
前記コンテンツ系列は、前記コンテンツの生産若しくは需要に関する季節性又は該コンテンツの新規性に応じ、定期的に又は随時に放送されるデータである請求項１乃至３の何れかに記載のコンテンツ選択装置。
【請求項５】
前記フィルタリング手段を通過した前記コンテンツ又はメタデータの内の少なくとも一方を保存する選択コンテンツ保存手段を有する請求項１乃至４の何れかに記載のコンテンツ選択装置。
【請求項６】
前記広告検出手段で検出された前記広告を保存する広告保存手段を有する請求項２乃至５の何れかに記載のコンテンツ選択装置。
【請求項７】
前記フィルタリング手段を通過した前記コンテンツ又はメタデータの内の少なくとも一方を表示する表示手段を有する請求項１又は６の何れかに記載のコンテンツ選択装置。
【請求項８】
前記広告検出手段で検出された前記広告を表示する表示手段を有する請求項２乃至７の何れかに記載のコンテンツ選択装置。
【請求項９】
請求項１乃至８の何れかに記載のコンテンツ選択装置と、
前記コンテンツを生成するコンテンツプロバイダと、
前記コンテンツプロバイダから前記コンテンツを受け、該コンテンツ及び前記要素名に対応するメタデータを生成し、該コンテンツ及び該メタデータを互いに対応付けてコンテンツ系列して保存するコンテンツ管理サーバと、
前記コンテンツ管理サーバに保存されている前記コンテンツ系列を放送するべき時間を管理し、該各コンテンツ系列の放送開始時刻が近い時に該コンテンツ管理サーバから当該コンテンツ系列を読み出し、読み出した該コンテンツ系列に必要なデータ変換処理を加え、放送コンテンツ系列として出力する配信管理サーバと、
前記配信管理サーバから出力される前記放送コンテンツ系列について放送規格に沿ったデータ処理を加えることにより放送データを生成し、該放送データを放送する放送設備と
を有するコンテンツ一斉配信システム。
【請求項１０】
１又は１以上の要素名を含むコンテンツ並びに該コンテンツ及び該要素名に対応付けられたメタデータでなるコンテンツ系列を受信し、
前記要素名の具体物である要素具体物が保存されているとき、該要素具体物に対応する要素名のメタデータを記憶し、
受信したコンテンツ系列における要素名の数をＭ、メタデータで記憶されている前記要素具体物の数をＮ、予め定めた閾値をＴとする（Ｍ，Ｎ,Ｔは正の整数）とき、Ｎ≧Ｍ−Ｔであれば、受信したコンテンツ系列における前記コンテンツ又はメタデータの少なくとも一方を通過させるコンテンツ選択方法。
【請求項１１】
前記コンテンツが前記要素名で表される具体物の広告を含み、
Ｎ＜Ｍ−Ｔのとき、受信したコンテンツ系列におけるメタデータに基づき、該コンテンツ系列における前記広告を検出する請求項１０に記載のコンテンツ選択方法。
【請求項１２】
前記コンテンツがレシピを含み、前記要素名は該レシピの食材名であり、前記要素具体物は冷蔵庫に保存された食材である請求項１０又は１１に記載のコンテンツ選択方法。
【請求項１３】
前記コンテンツ系列は、前記コンテンツの生産若しくは需要に関する季節性又は該コンテンツの新規性に応じ、定期的に又は随時に放送されるデータである請求項１０乃至１２の何れかに記載のコンテンツ選択方法。
【請求項１４】
フィルタリング手段を通過した前記コンテンツ又はメタデータの内の少なくとも一方を保存する請求項１０乃至１３の何れかに記載のコンテンツ選択方法。
【請求項１５】
検出された前記広告を保存する請求項１１乃至１４の何れかに記載のコンテンツ選択方法。
【請求項１６】
通過した前記コンテンツ又はメタデータの内の少なくとも一方を表示する請求項１０又は１５の何れかに記載のコンテンツ選択方法。
【請求項１７】
検出された前記広告を表示する請求項１１乃至１６の何れかに記載のコンテンツ選択方法。
【請求項１８】
請求項１０乃至１７の何れかに記載の希望コンテンツ選択方法を、コンピュータによって実行可能なプログラムとして実施するコンテンツ選択プログラム。
【請求項１９】
請求項１８に記載の希望コンテンツ選択プログラムを記録した、コンピュータによって読み取り可能なプログラム記録媒体。
【発明の詳細な説明】
【技術分野】
【０００１】
本発明は、レシピ等のコンテンツを放送により一斉に配信するコンテンツ一斉配信システム、並びに、コンテンツ一斉配信システムにより配信されたコンテンツを家電製品により受信し、受信コンテンツで示された物の内の主要物が冷蔵庫等で保存されているとき、当該コンテンツを選択できるようにするコンテンツ選択装置、コンテンツ選択方法、コンテンツ選択プログラム及びプログラム記録媒体に関する。
【背景技術】
【０００２】
音楽データ、動画像データ、静止画像データなどのコンテンツを放送のように配信し、その配信されたコンテンツを受信する方法及びそのコンテンツ受信端末に関する技術は特許文献１（特開２００１−２９２１１２、特に段落０００６−００１０、図１−５）に開示されている。本願発明に関連するこの特許文献１の技術は、その段落０００６，０００７に、「各コンテンツにその識別子を付け、識別子とコンテンツの組の複数よりなるコンテンツ系列（図２Ａ）を一斉に配信する。この配信されたコンテンツ系列を受信したコンテンツ端末（１６，１７，１８）は、予約記憶手段（３２）に予め記憶された予約識別子と、受信したコンテンツ系列中の各識別子とを比較し、一致した識別子のコンテンツをコンテンツ記憶手段（３５）に蓄積するか、再生手段（３９）により再生する。予約識別子の記憶は、識別子とそのコンテンツを簡単に表わす内容表示を記載した一覧表を見て、端末の入力手段（３１）により入力して行う。あるいは、識別子とそのコンテンツを簡単に表わす内容表示の組からなる識別子系列を一斉に配信し、この識別子系列をコンテンツ受信端末（１６，１７，１８）で受信し、その受信した識別子系列を識別子記憶手段（３４）に記憶し、その識別子記憶手段（３４）内の識別子系列を表示器（３８）に表示し又は印字器により印字表示し、この表示を見て入力手段（３１）により予約識別子を入力して記憶する。」と記載されているものである。
【先行技術文献】
【特許文献】
【０００３】
【特許文献１】特開２００１−２９２１１２号公報（特に段落０００６−００１０、図１−５）
【発明の概要】
【発明が解決しようとする課題】
【０００４】
特許文献１に記載の技術では、予め記憶された予約識別子と、受信したコンテンツ系列中の各識別子とを比較し、一致した識別子のコンテンツだけをコンテンツ記憶手段（３５）に蓄積するか、再生手段（３９）により再生する。特許文献１の技術では、コンテンツは音楽データ、動画像データ、静止画像データなどである。そこで、これらコンテンツに代えてレシピを配信する技術は特許文献１には開示されていない。特許文献１に記載の技術を応用し、音楽データ等に代えてコンテンツをレシピとし、複数のコンテンツ受信端末に対し、放送により多数のレシピの一斉配信をすることはできる。
【０００５】
しかし、あるコンテンツ受信端末にそれら多数のレシピが受信されたとき、多数のレシピの内から、冷蔵庫に保存されている食材で調理できるものを選択して、表示することはできない。特に、特許文献１に記載の技術では、レシピで示された食材の大部分は冷蔵庫に保存されているが、レシピで示された食材の一部が冷蔵庫に保存されていないとき、冷蔵庫内の食材で当該レシピの料理とほぼ同じ料理ができるとしても、当該レシピを選択できない。この場合には、当該レシピを有用なものとして選択し、表示することが利用者にとって便利であるのに、特許文献１に記載の技術ではその選択及び表示ができなかった。このように、特許文献１に記載の技術には解決するべき課題があった。
【０００６】
また、レシピで示された食材の大部分は冷蔵庫に保存されているが、レシピで示された食材の一部が冷蔵庫に保存されていないとき、不足する食材に関する広告は、その食材の属性や提供者の情報として有益であるが、特許文献１に記載の技術では、その広告はできなかった。
【０００７】
また、レシピをユーザに提供する作業がレシピの提供者にとって面倒であると、レシピの提供を躊躇するが、特許文献１に記載の技術では、レシピをユーザに容易に提供する工夫はされていなかった。
【０００８】
本発明の目的は、上述の課題、すなわち、複数のレシピを含むコンテンツが配信されるとき、レシピで示された食材の大部分は冷蔵庫に保存されているが、レシピで示された食材の一部が冷蔵庫に保存されていないとき、冷蔵庫内の食材で当該レシピの料理とほぼ同じ料理ができるとしても、当該レシピを選択できないという課題を解決するコンテンツ一斉配信システム、コンテンツ選択装置、コンテンツ選択方法、コンテンツ選択プログラム及びプログラム記録媒体を提供することを、その目的としている。
【課題を解決するための手段】
【０００９】
前述の課題を解決するため、本発明次の手段を提供する。
【００１０】
（１）１又は１以上の要素名を含むコンテンツ並びに該コンテンツ及び該要素名に対応付けられたメタデータでなるコンテンツ系列を受信する受信手段と、
前記要素名の具体物である要素具体物が保存されているとき、該要素具体物に対応する要素名のメタデータを記憶する要素名メタデータ記憶手段と、
前記受信手段で受信したコンテンツ系列における要素名の数をＭ、前記要素名メタデータ記憶手段にメタデータで記憶されている前記要素具体物の数をＮ、予め定めた閾値をＴとする（Ｍ，Ｎ,Ｔは正の整数）とき、Ｎ≧Ｍ−Ｔであれば前記受信手段で受信したコンテンツ系列における前記コンテンツ又はメタデータの少なくとも一方を通過させるフィルタリング手段と、
を有するコンテンツ選択装置。
（２）上記（１）に記載のコンテンツ選択装置と、
前記コンテンツを生成するコンテンツプロバイダと、
前記コンテンツプロバイダから前記コンテンツを受け、該コンテンツ及び前記要素名に対応するメタデータを生成し、該コンテンツ及び該メタデータを互いに対応付けてコンテンツ系列して保存するコンテンツ管理サーバと、
前記コンテンツ管理サーバに保存されている前記コンテンツ系列を放送するべき時間を管理し、該各コンテンツ系列の放送開始時刻が近い時に該コンテンツ管理サーバから当該コンテンツ系列を読み出し、読み出した該コンテンツ系列に必要なデータ変換処理を加え、放送コンテンツ系列として出力する配信管理サーバと、
前記配信管理サーバから出力される前記放送コンテンツ系列について放送規格に沿ったデータ処理を加えることにより放送データを生成し、該放送データを放送する放送設備とを有するコンテンツ一斉配信システム。
（３）１又は１以上の要素名を含むコンテンツ並びに該コンテンツ及び該要素名に対応付けられたメタデータでなるコンテンツ系列を受信し、
前記要素名の具体物である要素具体物が保存されているとき、該要素具体物に対応する要素名のメタデータを記憶し、
受信したコンテンツ系列における要素名の数をＭ、メタデータで記憶されている前記要素具体物の数をＮ、予め定めた閾値をＴとする（Ｍ，Ｎ,Ｔは正の整数）とき、Ｎ≧Ｍ−Ｔであれば、受信したコンテンツ系列における前記コンテンツ又はメタデータの少なくとも一方を通過させるコンテンツ選択方法。
（４）前記（３）に記載の希望コンテンツ選択方法を、コンピュータによって実行可能なプログラムとして実施するコンテンツ選択プログラム。
（５）前記（４）に記載の希望コンテンツ選択プログラムを記録した、コンピュータによって読み取り可能なプログラム記録媒体。
【発明の効果】
【００１１】
本発明によれば、複数のコンテンツが配信されるとき、配信コンテンツで示された食材の大部分が保存されているときは、そのコンテンツで示された食材の一部は保存されていなくても、複数の配信コンテンツの中から当該コンテンツを選択して、ユーザに提供できるコンテンツ一斉配信システム、コンテンツ選択装置、コンテンツ選択方法、コンテンツ選択プログラム及びプログラム記録媒体を提供できる。
【図面の簡単な説明】
【００１２】
【図１】本発明になるコンテンツ一斉配信システムの一実施形態を示す構成図である。
【図２】図１に示すコンテンツ一斉配信システムにおける家電の詳細構成を示す図である。
【発明を実施するための形態】
【００１３】
以下、本発明によるコンテンツ一斉配信システムの好適な実施形態について添付図を参照して説明する。また、本発明になるコンテンツ選択装置、コンテンツ選択方法、コンテンツ選択プログラム及びプログラム記録媒体は、そのコンテンツ一斉配信システムに併せて説明する。
【００１４】
図1はコンテンツ一斉配信システムの一実施形態を示す構成図、図２は図１のコンテンツ一斉配信システムにおける家電５の詳細構成を示す図である。図１に示す実施形態のコンテンツ一斉配信システムは、コンテンツプロバイダ１と、コンテンツ管理サーバ２と、配信管理サーバ３と、放送設備４と、家電５とでなる。家電５は、前述のコンテンツ選択装置に相当し、本実施形態では冷蔵庫とする。
【００１５】
コンテンツプロバイダ１は、ユーザによって操作されるパーソナルコンピュータ（以下、「ＰＣ」と略記する。）である。ここで、ユーザは、料理レシピが保存されているＣＤやハードディスから料理レシピを読み出し、或いはキーボードから料理レシピのデータを入力するというＰＣの操作により、料理レシピをコンテンツ管理サーバ２に送出する。コンテンツプロバイダ１には、コンテンツ管理サーバ２からコンテンツ登録画面のデータを提供される。コンテンツ管理サーバ２から提供されたコンテンツ登録画面は、コンテンツプロバイダ１の表示装置に表示される。コンテンツ登録画面には、料理レシピに関し入力するべき所要のデータ項目が表示される。そこで、コンテンツ登録画面を観るコンテンツプロバイダ１のユーザは、料理レシピに関し入力するべき所要のデータ項目を見て、キーボードから所要のデータを容易に入力できる。
【００１６】
料理レシピに関し入力するべき所要データには、料理レシピの名称、料理レシピで使用する食材の名称（前述の「要素名」に相当）及び料理レシピの提供者を含むコンテンツ並びにこれ等のコンテンツに対応するメタデータである。メタデータとしては、料理レシピの種類、料理レシピで使用する食材の種類、料理レシピの提供者の住所及び店名、広告の要否などがある。料理レシピの種類とは、洋食／和食、肉料理／魚料理の区別などである。料理レシピで使用する食材の種類としては、野菜／肉／魚の区別、更には、例えば、野菜の詳しい種類として人参／大根／ねぎ／レタス等の区別が含まれる。
【００１７】
コンテンツ管理サーバ２は、コンテンツ管理サーバ本体２１及びコンテンツ保存手段２２を有してなる。コンテンツ保存手段２２は、ハードディスクでなり、コンテンツを記憶する。コンテンツ管理サーバ本体２１は、スケジュールプログラム２１０を有し、スケジュールプログラム２１０により料理レシピの放送スケジュールを決め、決めた放送スケジュールを配信管理サーバ３に通知する。また、コンテンツ管理サーバ本体２１は、コンテンツプロバイダ１から供給された料理レシピを受付、その料理レシピをコンテンツ保存手段２２に保存する。また、コンテンツ管理サーバ本体２１は、前述のコンテンツ登録画面のデータをコンテンツプロバイダ１に提供する。
【００１８】
配信管理サーバ３は、スケジューリング部３０、ファイルアロケータ３１、ＦＥＣ(Forward Error Correction)エンコーダ３２、ＦＬＵＴＥ３３、ＩＰパケット部３４及び一次保存メモリ(temporally memory)３６を有してなる。スケジューリング部３０は、コンテンツ管理サーバ２から送られた放送スケジュールを記憶し、ＦＥＣエンコーダ３２によるＦＥＣエンコードを行うか否かを決定する。スケジューリング部３０では、コンテンツが「重要」と指定されているとき、又は広告主が予め指定された企業であるときに限り、ＦＥＣエンコードを行うように設定できる。
【００１９】
ファイルアロケータ３１は、スケジューリング部３０に記憶されている放送スケジュールに基づき、放送時間になったときにコンテンツ管理サーバ２からコンテンツ及びメタデータを読み出す。また、ファイルアロケータ３１は、スケジューリング部３０からＦＥＣエンコードを行うか否かの指示を受け、その指示に応じてＦＥＣエンコーダ３２を制御する。ＦＬＵＴＥ３３は、ＦＥＣエンコーダ３２の出力のコンテンツ及びメタデータについて、ＲＦＣ３９２６で定められたプロトコルに則って、ＦＬＵＴＥ化を行う。ＩＰパケット部３４は、ＦＬＵＴＥ３３でＦＬＵＴＥ化されたコンテンツ及びメタデータをＩＰ（インターネットプロトコル）に則ってＩＰパケット化し、ＩＰパケットを放送設備４へ送出する。
【００２０】
放送設備４は、配信管理サーバ３から送られたコンテンツ及びメタデータのＩＰパケットを放送方式に合わせた形式に変更し、ＩＰＤＣ（Internet Protocol DataCast）により、電波としてアンテナから送信する。放送方式としては、例えば地上デジタル放送に適用されているＴＳ方式がある。
【００２１】
家電５は、前に述べたように、本実施の形態では冷蔵庫であり、タグリーダ及び食材メタデータ記憶手段５７（前述の要素名メタデータ記憶手段に相当）を備える。家電５は、内部に保存されている食材（前述の「要素具体物」に相当）の種類、各食材の数量（個数、容量、重量などで表される）をそれら食材に貼付されているＲＦタグからタグリーダで読み取り、それら食材の種類、各食材の数量（すなわち、各食材の数量）をメタデータ化して、食材メタデータ記憶手段５７に記憶している。家電５としては、データ入力用のキーを筐体の前面に有し、食材の名称、数量又はそれらのメタデータをキー操作により手動で入力できるようにしたものであれば、ＲＦタグが貼付されていない食材も食材メタデータ記憶手段５７に記憶させることができる。
【００２２】
家電５は、図２に示すとおり、再生アプリケーション５０、受信チップ５１、受信ソフト５２、ＦＥＣデコーダ５３、広告検出部５４、レコメンドフィルタ５５、レシピボックス５６、食材メタデータ記憶手段５７及び広告ボックス５４０を有してなる。再生アプリケーション５０は、後述の広告検出部５４およびレコメンドフィルタ５５の機能を担うプログラムである。受信チップ５１は、放送設備４から放送されたコンテンツ及びメタデータのＩＰパケットを受信し、ＩＰパケットを出力する。受信ソフト５２は、受信チップ５１からＩＰパケットを受け、ＦＬＵＴＥプロトコルおよびＩＰプロトコルを解凍し、ＩＰデータを生成し、ＩＰデータを再生アプリケーション５０へ受け渡す。ＦＥＣデコーダ５３は、受信ソフト５２からＩＰデータを受け、ＩＰデータがＦＥＣエンコードされているときは、ＦＥＣをデコードし、デコードしたＩＰデータを広告検出部５４へ送出する。受信チップ５１、受信ソフト５２及びＦＥＣデコーダ５３で構成される手段は、前述の受信手段に相当する。ＦＥＣデコーダ５３から出力されるＩＰデータは前述のコンテンツ系列に相当する。このコンテンツ系列は、料理レシピ及び広告を含むコンテンツと、このコンテンツのメタデータとでなる。
【００２３】
広告検出部５４は、ＦＥＣデコーダ５３から受けたＩＰデータについて広告フラグの有無を調べ、広告フラグがあるＩＰデータを広告コンテンツとして検出し、そのＩＰデータで表された広告コンテンツを広告ボックス５４０へ保存する。広告検出部５４は、ＦＥＣデコーダ５３から受けたＩＰデータに広告のコンテンツを検出しないとき、すなわちＦＥＣデコーダ５３から受けたＩＰデータについて広告フラグの有無を調べ、広告フラグがないときは、そのＩＰデータをそのままレコメンドフィルタ５５へ送る。
【００２４】
レコメンドフィルタ５５は、広告検出部５４を経て送られるＩＰデータを受け、そのＩＰデータで表されるコンテンツ系列における料理レシピに使われる食材のメタデータを調べる。レコメンドフィルタ５５は、その料理レシピに使われる食材のメタデータを調べることにより、該メタデータが表す該食材の数量Ｍを検出し、食材メタデータ記憶手段５７に記憶されている各食材の数量Ｎを数量Ｍと比較し、予め定めた閾値をＴとする（Ｍ，Ｎ,Ｔは正数）とき、Ｍ−Ｎ≦Ｔであれば、ＩＰデータで表されるコンテンツ系列におけるコンテンツ又はメタデータの少なくとも一方を通過させる。
【００２５】
すなわち、レコメンドフィルタ５５は、受信した料理レシピで示された所要の食材が冷蔵庫に保存されている食材で足りるか否かを調べている。本実施例では、閾値Ｔは料理レシピ毎、食材毎に適切に設定しておく。冷蔵庫に保存されている食材の数量Ｎが料理レシピで求められる食材の数量Ｍより少なく、不足しているときでも、不足数量（Ｍ−Ｎ）が実用上差し支えない数量Ｔ以下であれば、必要性や好みによっては、その料理レシピは、料理対象として選択しても差し支えないものであるとして、レコメンドフィルタ５５を通過させ、レコメンドフィルタ５５を通過させた料理レシピをレコメンド料理レシピ（推奨料理レシピ）としてレシピボックス５６に格納する。
【００２６】
一例を上げると、いま料理レシピが５人分の野菜カレーのレシピであり、野菜カレーのレシピで求められる食材はトマト、ジャガイモ、人参及びカレールーであり、該５人分の野菜カレーのレシピで求められる食材であるトマト、ジャガイモ、人参及びカレールーの数量をそれぞれＭ１、Ｍ２、Ｍ３及びＭ４とする。そして、各食材の所要数量は、トマト：３つ（Ｍ１＝３）、ジャガイモ：３つ（Ｍ２＝３）、人参：１本（Ｍ３＝１）、カレールー：５個（Ｍ４＝５）であったとする。このとき、食材メタデータ記憶手段５７に記憶されている各食材の数量は、トマト：５つ（Ｎ１＝５）、ジャガイモ：２つ（Ｎ２＝２）、人参：４本（Ｎ３＝４）、カレールー：５個（Ｎ４＝５）であるとする。そして、各食材の閾値は、トマトの閾値Ｔ１：１、ジャガイモの閾値Ｔ２：１、人参の閾値Ｔ３：１、カレールーの閾値Ｔ４：２に設定してあるとする。Ｍ１−Ｎ１＝３−５＝−２≦Ｔ１＝１、Ｍ２−Ｎ２＝３−２＝１≦Ｔ２＝１、Ｍ３−Ｎ３＝１−４＝−３≦Ｔ３＝１、Ｍ４−Ｎ４＝５−５＝０≦Ｔ４＝２となる。従って、何れの食材においても、Ｍ−Ｎ≦Ｔの関係を満たすので、野菜カレーのレシピはレコメンドフィルタ５５を通過し、レシピボックス５６に格納される。
【００２７】
ここに挙げた野菜カレーの例では、レシピで求められる食材であるトマト、ジャガイモ、人参及びカレールーの内で、冷蔵庫内の食材が不足する、すなわちＭ−Ｎ＞０（Ｍ−Ｎの値が正となる）ものはジャガイモである。ジャガイモでは、Ｍ２−Ｎ２＝３−２＝１であり、数量が１個不足している。しかし、ジャガイモについての不足数量の許容値である閾値Ｔ２が“１”に設定してあるので、野菜カレーのレシピは、レコメンドフィルタ５５を通過することとなる。このように、本実施の形態では、料理レシピで求められる各食材毎に、不足数量の許容値を閾値Ｔとして予め設定してある。そこで、この実施形態によれば、冷蔵庫内の食材の数量が料理レシピで求められる各食材の数量より多少不足していても、その不足の程度が予め定めた許容値以内であれば、ユーザにおいて料理可能な有用なレシピとして、レシピのユーザに提供できる。
【００２８】
なお、各食材の閾値は、ユーザによって予め設定するようにしてもよいし、料理レシピのコンテンツに併せてコンテンツプロバイダ１から入力し、料理レシピとともに、ＩＰＤＣにより一斉配信し、家電５へ提供し、家電５の記憶手段に格納するようにしてもよい。
【００２９】
再生アプリケーション５０は、家電５のユーザが家電５の筐体の前面に設けてあるデータ入力用のキーを操作し、再生指令を入力したとき、レシピボックス５６に格納されている料理レシピを再生し、家電５の液晶ディスプレイに表示する。レシピボックス５６に格納されている料理レシピが複数あるときは、液晶ディスプレイに複数の料理レシピのメニューをまず表示し、それら複数の料理レシピのメニューのうちから１つを指定したときに、指定された料理レシピの内容が液晶ディスプレイに表示されるようにする。
【００３０】
再生アプリケーション５０は、料理レシピを再生するのに併せて、そのレシピで不足している食材に関する広告を広告ボックス５４０から読み出し、液晶ディスプレイにおける所定の広告領域に表示する。
【００３１】
食材の広告は、ユーザが画面に表示されたレシピにおける食材名を指定し、指定した食材については広告ボックス５４０から広告を読み出し、所定の広告領域に広告を表示し、他方、指定しない食材については、たとえその食材の冷蔵庫内数量がレシピの数量より不足していても、広告を表示しないようにすることも、再生アプリケーション５０により選択的に設定できる。
【００３２】
以上に説明したように、図1のコンテンツ一斉配信システムによれば、コンテンツプロバイダ１で料理レシピを入力し、コンテンツプロバイダ１はその料理レシピをコンテンツ管理サーバ２へ提供し、コンテンツ管理サーバ２はその料理レシピを保存するとともに、該料理レシピのメタデータを作成し、配信管理サーバ３はコンテンツ管理サーバ２から読み出した料理レシピをIPDC（IPデータキャスト）パケット化し、放送設備４はIPDC（IPデータキャスト）により料理レシピを一斉配信し、家電５はその料理レシピを受信し、冷蔵庫内に存在する食材とレシピの食材とを比較し、受信した料理レシピの内で冷蔵庫内の食材で賄えるものを選択し、選択した料理レシピを自動的に表示し、さらに足りない食材の広告をすることができる。また、図1のコンテンツ一斉配信システムには、コンテンツプロバイダ１と及びコンテンツ管理サーバ２を備えてあるので、料理レシピを提供するコンテンツプロバイダの参入が容易である。また、本実施の形態のコンテンツ一斉配信システムによれば、料理レシピ及び広告のコンテンツを放送設備４からＩＰＤＣにより家電に対し一斉に配信するので、通信線路を介して個別に配信する方式に比べ、通信トラフィックへの負荷が格段に小さくなる。
【００３３】
図１及び図２を参照した本発明の実施形態によれば、複数のレシピが配信されるとき、レシピで示された食材の大部分は家電（冷蔵庫）に保存されているが、レシピで示された食材の一部が冷蔵庫に保存されていないとき、冷蔵庫内の食材で当該レシピの料理とほぼ同じ料理ができるとしても、当該レシピを選択できないという特許文献１の解決するべき課題を解決し、配信されたレシピで示された食材の大部分が保存されているときは、そのレシピで示された食材の一部は保存されていなくても、複数の配信コンテンツの中から当該コンテンツを選択して、ユーザに提供できるコンテンツ一斉配信システム、コンテンツ選択装置、コンテンツ選択方法、コンテンツ選択プログラム及びプログラム記録媒体を提供できる。
【００３４】
以上に本発明の実施形態を挙げ、本発明を具体的に説明したが、本発明がこの実施形態に限定されるものでないことは勿論である。例えば、上述の実施形態では、家電は冷蔵庫としたが、冷蔵庫に限らず、食品保存用倉庫や、電子レンジであっても、本発明は適用できる。また、要素名メタデータ記憶手段に相当する食材メタデータ記憶手段５７は、家電５内でなく、家電５とは別の食材保存手段に設けておき、保存する食材のメタデータを家電５に伝送する方式としても、本発明は実現できる。
【符号の説明】
【００３５】
１    コンテンツプロバイダ
２    コンテンツ管理サーバ
３    配信管理サーバ
４    放送設備
５    家電
２１    コンテンツ管理サーバ本体
２２    コンテンツ保存手段
２１０  スケジュールプログラム
３０    スケジューリング部
３１    ファイルアロケータ
３２    ＦＥＣ(Forward Error Correction)エンコーダ
３３    ＦＬＵＴＥ
３４    ＩＰパケット部
３６    一次保存メモリ(temporally memory)
５０    再生アプリケーション
５１    受信チップ
５２    受信ソフト
５３    ＦＥＣデコーダ
５４    広告検出部
５５    レコメンドフィルタ
５６    レシピボックス
５７    食材メタデータ記憶手段
５４０  広告ボックス
【図１】
2011039846.tif 000003
【図２】
2011039846.tif 000004